(57)【特許請求の範囲】
【請求項１】
無線通信を介して情報処理装置と接続される画像処理装置であって、
画像データを生成する画像データ生成手段と、
情報処理装置との通信を制御する通信制御手段と、
前記無線通信を介した情報処理装置との前記通信制御手段によるデータの送受信を制御する動作制御手段と、
前記画像データ生成手段により画像データが生成される際に、前記通信制御手段により通信可能な情報処理装置を特定する特定制御手段と、
前記特定制御手段により特定された情報処理装置の画像データへのアクセスを制御するアクセス制御手段と、
前記画像データの生成後に情報処理装置から前記画像データの取得要求を取得する取得手段と、
を備え、
前記動作制御手段は、前記取得要求に応じて、該取得要求の送信元の情報処理装置に対して前記アクセス制御手段によりアクセスが許可された画像データを送信することを特徴とする画像処理装置。
【請求項２】
前記動作制御手段は、情報処理装置が無線通信を介して画像処理装置に接続するための接続情報を所定の出力手段に出力させることを特徴とする請求項１記載の画像処理装置。
【請求項３】
前記特定制御手段は、情報処理装置が前記接続情報を用いて画像処理装置に接続する際、該情報処理装置を識別する識別情報を取得して記憶することを特徴とする請求項２記載の画像処理装置。
【請求項４】
前記特定制御手段は、記憶した前記識別情報に基づいて情報処理装置を特定することを特徴とする請求項３記載の画像処理装置。
【請求項５】
前記アクセス制御手段は、情報処理装置が要求した画像データに該情報処理装置のアクセスを許可するアクセス権を付与することを特徴とする請求項１から４の何れか１項に記載の画像処理装置。
【請求項６】
前記動作制御手段は、情報処理装置から画像データを要求されたとき、該情報処理装置の前記アクセス権が付与されている画像データを送信することを特徴とする請求項５記載の画像処理装置。
【請求項７】
前記動作制御手段は、前記アクセス制御手段により情報処理装置の画像データへのアクセスが許可されたとき、アクセスが許可された該情報処理装置の数を前記出力手段を介して出力することを特徴とする請求項２から４の何れか１項に記載の画像処理装置。
【請求項８】
前記動作制御手段は、前記アクセス制御手段により情報処理装置の画像データへのアクセスが許可されたとき、該情報処理装置を識別する識別情報を前記出力手段を介して出力することを特徴とする請求項７記載の画像処理装置。
【請求項９】
情報処理装置を所持するユーザを認識するユーザ認識手段を備え、
前記動作制御手段は、前記ユーザ認識手段により認識されたユーザの人数を前記出力手段を介して出力することを特徴とする請求項２から４の何れか１項に記載の画像処理装置。
【請求項１０】
前記動作制御手段は、前記ユーザ認識手段により認識されたユーザの人数と前記アクセス制御手段により画像データへのアクセスが許可された情報処理装置の数が不一致のとき、エラー情報を前記出力手段を介して出力することを特徴とする請求項９記載の画像処理装置。
【請求項１１】
所定方向に存在する情報処理装置を検出するための指向性電波を照射する照射手段を備えることを特徴とする請求項１から１０の何れか１項に記載の画像処理装置。
【請求項１２】
複数の画像データを記憶する画像記憶手段を更に備え、
前記動作制御手段は、前記取得要求に応じて、前記複数の画像データのうち、該取得要求の送信元の情報処理装置に対して前記アクセス制御手段によりアクセスが許可された画像データの一覧を送信することを特徴とする請求項１に記載の画像処理装置。
【請求項１３】
前記特定制御手段は、前記画像データ生成手段により画像データが生成される際に、前記通信制御手段により通信可能な複数の情報処理装置を特定し、
前記動作制御手段は、前記取得要求に応じて、該取得要求の送信元の情報処理装置が前記複数の情報処理装置に含まれている場合、該情報処理装置に対して前記アクセス制御手段によりアクセスが許可された画像データを送信することを特徴とする請求項１に記載の画像処理装置。
【請求項１４】
情報処理装置と画像処理装置とが無線通信を介して接続された画像処理システムであって、
画像処理装置は、
画像データを生成する画像データ生成手段と、
情報処理装置との通信を制御する通信制御手段と、
前記無線通信を介した情報処理装置との前記通信制御手段によるデータの送受信を制御する動作制御手段と、
前記画像データ生成手段により画像データが生成される際に、前記通信制御手段により通信可能な情報処理装置を特定する特定制御手段と、
前記特定制御手段により特定された情報処理装置の画像データへのアクセスを制御するアクセス制御手段と、
前記画像データの生成後に情報処理装置から前記画像データの取得要求を取得する取得手段と、
を備え、
前記動作制御手段は、前記取得要求に応じて、該取得要求の送信元の情報処理装置に対して前記アクセス制御手段によりアクセスが許可された画像データを送信し、
前記情報処理装置は、
該情報処理装置を識別する識別情報を含む、前記画像データの取得を要求する取得要求を前記画像処理装置へ送信し、前記画像データを前記画像処理装置から受信する通信手段を備える
ことを特徴とする画像処理システム。
【請求項１５】
情報処理装置と画像処理装置とが無線通信を介して接続された画像処理システムであって、
画像データを生成する画像データ生成手段と、
情報処理装置との通信を制御する通信制御手段と、
前記無線通信を介した情報処理装置との前記通信制御手段によるデータの送受信を制御する動作制御手段と、
前記画像データ生成手段により画像データが生成される際に、前記通信制御手段により通信可能な情報処理装置を特定する特定制御手段と、
前記特定制御手段により特定された情報処理装置の画像データへのアクセスを制御するアクセス制御手段と、
前記画像データの生成後に情報処理装置から前記画像データの取得要求を取得する取得手段と、
を備え、
前記動作制御手段は、前記取得要求に応じて、該取得要求の送信元の情報処理装置に対して前記アクセス制御手段によりアクセスが許可された画像データを送信する
ことを特徴とする画像処理システム。
【請求項１６】
画像データを生成して記憶部に記憶する処理と、
情報処理装置との通信を制御する処理と、
前記情報処理装置との間で無線通信を介したデータの送受信を制御する処理と、
前記記憶部に記憶された画像データを前記無線通信を介して要求する情報処理装置を特定する処理と、
特定された情報処理装置の画像データへのアクセスを制御する処理と、
前記画像データの生成後に情報処理装置から前記画像データの取得要求を取得する処理と、
前記取得要求に応じて、該取得要求の送信元の情報処理装置に対して前記アクセスを制御する処理でアクセスが許可された画像データを送信する処理と
をコンピュータに実行させることを特徴とするプログラム。
【発明の詳細な説明】
【技術分野】
【０００１】
本発明は、画像処理装置、画像処理システム、及び、プログラムに関する。
【背景技術】
【０００２】
従来から、電子写真方式の画像形成装置や撮影機器で作成された画像データに、画像を表示、格納することができる情報処理端末からアクセスする技術が既に知られている。
【０００３】
上記の技術に関し、例えば特許文献１には、簡易に無線通信装置と携帯型無線通信装置とで構築された通信システムにおいて、認証コードを自動生成し、認証コードに対するアクセス権を関連付けて記憶させる技術が開示されている。
【０００４】
特許文献１では、既にペアリング済みの第２の無線通信装置について、新たな認証コードの送信と新たなアクセス権の設定とを行ってペアリングをし直すか、又は設定したアクセス権が失効するまで同一の認証コードで無線通信を行うかの何れかを、当該第２の無線通信装置から送信された選択結果に基づいて決定している。
【発明の概要】
【発明が解決しようとする課題】
【０００５】
例えば特許文献１に開示された従来技術によれば、セキュリティ強度の高い無線通信システムを提供することができる。しかし、特許文献１のような従来技術の画像形成装置における画像データ等のデータへのアクセスは、そのデータを送受信する端末同士が１対１の関係であるため、画像単位毎に、その都度アクセス権を設定しなければならないという問題がある。
【０００６】
本発明はこのような実情に鑑みてなされたものであって、データへのアクセスの利便性を高めることを目的とする。
【課題を解決するための手段】
【０００７】
上述の課題を解決するために、本発明の画像処理装置は、無線通信を介して情報処理装置と接続される画像処理装置であって、画像データを生成する画像データ生成手段と、情報処理装置との通信を制御する通信制御手段と、無線通信を介した情報処理装置との通信制御手段によるデータの送受信を制御する動作制御手段と、画像データ生成手段により画像データが生成される際に、通信制御手段により通信可能な情報処理装置を特定する特定制御手段と、特定制御手段により特定された情報処理装置の画像データへのアクセスを制御するアクセス制御手段と、前記画像データの生成後に情報処理装置から前記画像データの取得要求を取得する取得手段と、を備え、動作制御手段は、前記取得要求に応じて、該取得要求の送信元の情報処理装置に対してアクセス制御手段によりアクセスが許可された画像データを送信することを特徴とする。
【発明の効果】
【０００８】
本発明によれば、データへのアクセスの利便性を高めることが可能となる。
【図面の簡単な説明】
【０００９】
【図１】本発明の実施形態における画像処理について説明するための模式図である。
【図２】本発明の実施形態における画像処理について説明するための模式図である。
【図３】本発明の実施形態における画像処理システムのハードウェア構成図である。
【図４】本発明の実施形態における画像処理システムの機能ブロック図である。
【図５】本発明の実施形態における画像処理装置の追加構成に係る機能ブロック図である。
【図６】本発明の実施形態における画像処理装置の初期設定フローチャートである。
【図７】本発明の実施形態における情報処理装置の初期設定フローチャートである。
【図８】本発明の実施形態における画像処理装置の動作処理フローチャートである。
【図９】本発明の実施形態における情報処理装置の動作処理フローチャートである。
【図１０】本発明の実施形態における画像処理装置のアクセス処理フローチャートである。
【図１１】本発明の実施形態における情報処理装置のアクセス処理フローチャートである。
【図１２】本発明の実施形態における画像処理装置が情報処理装置を登録する動作処理手順を示すシーケンス図である。
【図１３】本発明の実施形態における情報処理装置の画像データへのアクセス権を付与する動作処理手順を示すシーケンス図である。
【図１４】本発明の実施形態における情報処理装置への画像データのアップロード処理手順を示すシーケンス図である。
【図１５】本発明の実施形態における情報処理装置の画像データへの参照処理手順を示すシーケンス図である。
【図１６】本発明の実施形態における画像処理装置と情報処理装置とが外部通信装置を利用して相互に処理を実施する処理手順を示すシーケンス図である。
【図１７】図１６に示した外部通信装置による情報処理装置の特定処理を説明する模式図である。
【図１８】従来の画像処理について説明するための模式図である。
【発明を実施するための形態】
【００１０】
本発明の実施形態における画像処理装置、情報処理装置、及びこれらからなる画像処理システムに関し以下図面を用いて説明するが、本発明の趣旨を越えない限り、何ら本実施形態に限定されるものではない。なお、各図中、同一又は相当する部分には同一の符号を付しており、その重複説明は適宜に簡略化乃至省略する。また、以下に記載する実施形態は本発明の最良の形態であって、本発明に係る特許請求の範囲を限定するものではない。
【００１１】
なお、以下では、画像処理装置の例としてデジタルカメラ等の撮影装置を、情報処理装置の例としてスマートフォン等の携帯情報端末を用いて説明する。しかし、これらに限定されず、画像処理装置としては、ＭＦＰ等の画像形成装置、プロジェクターや電子情報ボード等の画像出力装置であってもよい。また、情報処理装置としては、パーソナルコンピュータ（以下「ＰＣ」という。）、ノートＰＣ、タブレットＰＣ、携帯電話、PDA等であってもよい。
【００１２】
また、本実施形態における画像処理装置と情報処理装置との無線通信としてＢＬＵＥＴＯＯＴＨ（登録商標）を用いているが、これに限定されず、例えばＮＦＣ規格に属する近距離無線通信等その他の近距離又は短距離無線通信手段であればよい。なお、近距離無線通信に限定されず、無線ＬＡＮ等を利用してもよい。
【００１３】
本実施形態における画像処理システムを説明するにあたり、まず従来の画像処理システムの問題点について図１８を参照して説明する。本図では、デジタルカメラ１００から無線通信を介してスマートフォン２００が画像データ等を取得する方法、ＳＤカード等の外部記憶媒体５０に記憶された画像データを取得する方法、及びインターネット等のネットワークに接続されたデータ記憶サーバからダウンロードにより画像データを取得する方法が示されている。
【００１４】
従来では、上記の各方法によりデジタルカメラ１００が取得する画像データはその画像データへのアクセス権が付与されていないため、デジタルカメラ１００又は画像データを記憶するデータ記憶サーバ等と通信が可能でありさえすれば、これらとの通信を介してスマートフォン２００を所持する誰もが上記の画像データを取得することができてしまう。本実施形態における画像処理システムは、上述の問題点を解決するために以下の構成を採用する。
【００１５】
［本実施形態の概略］
本発明の実施形態における画像処理システムの概略構成について図１を参照して説明する。図１（ａ）では、情報処理装置２０を使用するユーザが３人いるものとして説明する。もちろん３人に限定されるものではなく、２人であっても、４人以上であってもよい。またここでは、３人のユーザをそれぞれユーザＡ、ユーザＢ、ユーザＣとし、各ユーザが所持する情報処理装置２０をそれぞれ情報処理装置２０ａ、２０ｂ、２０ｃ（これらをまとめて言うときは「情報処理装置２０」という。）とする。
【００１６】
そして、所定の通信手段を介して装置間で送受信されたアクセスキーに基づいた画像処理装置１０と情報処理装置２０ａ及び２０ｂとの通信が確立されているものとする。この通信の確立は、例えば情報処理装置２０ａ及び２０ｂは画像処理装置１０と略正対する位置であり、つまりユーザＡ及びユーザＢが撮像手段２２のレンズ画角内にいる場合を条件とすればよい（図１（ｂ）参照）。
【００１７】
上記の条件の場合、情報処理装置２０ｃについては画像処理装置１０と略正対していない、画像処理装置１０から離れた位置にいるため、つまりユーザＣが撮像手段２２のレンズ画角から外れているため、画像処理装置１０との通信が確立されず、従って情報処理装置１０ｃは撮影時に特定されないこととなる。
【００１８】
そして、画像処理装置１０は、撮影したユーザＡ及びユーザＢの画像データＰと情報処理装置２０ａ及び２０ｂそれぞれの識別情報を対応付けて、情報処理装置２０ａ及び２０ｂの画像データＰへのアクセスを許可するための各装置を特定する特定情報として記憶する。これにより、その後、情報処理装置２０ａ及び２０ｂが画像データＰにアクセスする際、画像処理装置１０は上記特定情報を参照して情報処理装置２０ａ及び２０ｂの上記画像データへのアクセスを許可することができる。
【００１９】
他方、情報処理装置２０ｃについては撮影時に特定されていないため、画像処理装置１０の記憶部に記憶された画像データへアクセスすることができない。
【００２０】
なお、本実施形態においては、ＳＤカード等の外部記憶媒体に画像データＰが記憶される例を用いて説明するが、画像データＰは所定のネットワークを介して画像処理装置１０と接続されたデータサーバ等の情報処理装置に記憶されているものとしてもよい。また、画像処理装置１０内の記憶部に記憶された画像データに情報処理装置２０が直接アクセスを行う構成であってもよい。
【００２１】
次に、画像処理装置１０に情報処理装置２０の識別情報を記憶する処理の概要について図２を参照して説明する。
【００２２】
まず、図２に示すように画像処理装置１０は表示部に２次元コードであるＱＲコード（登録商標）を表示し、これを情報処理装置２０の撮像手段により撮影することにより、情報処理装置２０は撮影した２次元バーコードに含まれるアクセス情報を用いて画像処理装置１０との通信を行う。
【００２３】
画像処理装置１０は、画像処理装置１０と上記アクセス情報を用いた通信を介して情報処理装置２０の識別情報を取得して記憶部に記憶する。この識別情報を用いることにより、図１を用いて説明したように、画像処理装置１０は撮影時に情報処理装置２０を特定することができ、撮影時の適切なアクセス権を設定することができる。
【００２４】
［本実施形態のハードウェア構成］
次に、本実施形態における画像処理システムに係る画像処理装置１０と情報処理装置２０のハードウェア構成について図３を参照して説明する。
【００２５】
画像処理装置１０は、ＣＰＵ１１と、画像入出力部１２と、表示部１３と、外部通信装置１４と、１次記憶装置１５と、指向性外部通信装置１６と、２次記憶装置１７を備える。
【００２６】
ＣＰＵ１１は、画像処理装置１０が備える上記各部の制御、及び後述する本実施形態における処理を実行する制御装置である。
【００２７】
画像入出力部１２は、ＣＰＵ１１と１次記憶装置１５との間で画像データの入力及び出力を行う。表示部１３は、例えば液晶パネルを採用したディスプレイパネル等であり、画像処理装置１０を操作するための操作キーや状態情報を表示する。
【００２８】
外部通信装置１４は、情報処理装置２０との間でデータの送受信を行うための無線通信インタフェースである。
【００２９】
１次記憶装置１５は、例えばＲＡＭ等のメモリであり、画像処理装置１０に処理させるための処理プログラムを展開する一時記憶領域である。
【００３０】
指向性外部通信装置１６は、指向性のある無線電波を用いて情報処理装置２０と通信を行うための通信インタフェースである。
【００３１】
また、２次記憶装置１７は、例えばＲＯＭやＨＤＤ等の不揮発性の記憶装置であり、例えば画像データや上述した処理プログラム等を格納する。
【００３２】
情報処理装置２０は、ＣＰＵ２１と、画像入出力部２２と、表示部２３と、外部通信装置２４と、１次記憶装置２５と、２次記憶装置２７を備える。なお、情報処理装置２０におけるＣＰＵ２１以外の各ハードウェアは画像処理装置１０と略同等の処理を行うものであるため、これらの説明は省略する。ＣＰＵ２１は情報処理装置２０における全体制御を行う制御装置である。
【００３３】
［本実施形態の機能ブロックの基本構成］
次に、本実施形態における画像処理システムに係る画像処理装置１０と情報処理装置２０の機能ブロックについて図４を参照して説明する。
【００３４】
画像処理装置１０は、画像データ生成部３０と、通信制御部３１と、動作制御部３２と、特定制御部３３と、アクセス制御部３４を備える。
【００３５】
画像データ生成部３０は、画像データを生成する画像データ生成手段である。本実施形態における画像処理装置１０がデジタルカメラの場合、画像を撮影する撮影手段、撮影した画像をデジタルデータに変換する手段等に相当する。
【００３６】
通信制御部３１は、情報処理装置２０との通信を制御する通信制御手段であり、上述した外部通信装置１４によりその機能が実現される。
【００３７】
動作制御部３２は、無線通信を介した情報処理装置２０との通信制御部１３によるデータの送受信を制御する動作制御手段であり、上述したＣＰＵ１１によりその機能が実現される。
【００３８】
特定制御部３３は、画像データ生成部３０により画像データが生成される際に、通信制御部３１をにより通信可能な情報処理装置２０を特定する特定制御手段であり、上述したＣＰＵ１１によりその機能が実現される。
【００３９】
アクセス制御部３４は、特定制御部３３により特定された情報処理装置２０の画像データへのアクセスを制御するアクセス制御手段であり、上述したＣＰＵ１１によりその機能が実現される。
【００４０】
動作制御部３２は、アクセス制御部３４により画像データへのアクセスが許可された情報処理装置２０に画像データを送信する。
【００４１】
また、動作制御部３２は、情報処理装置２０が無線通信を介して画像処理装置１０に接続するための接続情報を、例えば表示部１３等の出力手段に出力させる。接続情報とは、上述したＱＲコード等の２次元コード、又はユーザが手動で設定するための設定画面等である。
【００４２】
特定制御部３３は、情報処理装置２０が上記の接続情報を用いて画像処理装置１０に接続する際、情報処理装置２０を識別する識別情報を取得して上述した２次記憶装置１７等の記憶部に記憶する。識別情報とは、情報処理装置２０を識別するための情報処理装置２０固有のＩＤ又は固有名称等であればよい。特定制御部３３は、記憶部に記憶した識別情報に基づいて情報処理装置２０を特定する。
【００４３】
アクセス制御部３４は、情報処理装置２０が要求した画像データに情報処理装置２０のアクセスを許可するアクセス権を付与する。画像データに対する情報処理装置２０のアクセス権が付与されていない場合、情報処理装置２０は画像データの取得・閲覧等、当該画像データにアクセスすることができない。
【００４４】
動作制御部３２は、情報処理装置２０から画像データを要求されたとき、情報処理装置２０のアクセス権が付与されている画像データを送信する。
【００４５】
また、動作制御部３２は、アクセス制御部３４により情報処理装置２０の画像データへのアクセスが許可されたとき、アクセスが許可された情報処理装置２０の数を表示部１３等の出力手段を介して出力する。これにより、画像処理装置１０を使用するユーザは、画像データへのアクセスが許可された情報処理装置２０の数を把握することができる。
【００４６】
また、動作制御部３２は、アクセス制御部３４により情報処理装置２０の画像データへのアクセスが許可されたとき、情報処理装置２０を識別する識別情報を表示部１３等の出力手段を介して出力することとしてもよい。これにより、画像処理装置１０を使用するユーザは、画像データへのアクセスが許可された情報処理装置２０を確認することができる。
【００４７】
他方、情報処理装置２０は、制御部４１と、通信部４２を備える。制御部４１は、情報処理装置２０の全体を制御する。また、通信部４２は、情報処理装置２０を識別する識別情報を含む、画像データの取得を要求する取得要求を画像処理装置１０へ送信し、画像データを画像処理装置１０から受信する通信手段である。
【００４８】
［本実施形態の機能ブロックの追加構成］
次に、上述した図４の基本構成に追加される機能ブロックについて図５を参照して説明する。ここでは、図示の簡略化のため、画像処理装置１０の機能ブロックとして追加されるユーザ認識部３６、照射部３７のみを示している。
【００４９】
ユーザ認識部３６は、情報処理装置２０を所持するユーザを認識するユーザ認識手段である。ユーザ認識部３６は、例えば所定の撮影手段により撮影したユーザの顔等の撮影画像を画像解析する等して、ユーザを認識する。なお、これに限定されず、情報処理装置２０に内蔵された、あるいは、ユーザが所持するＩＣタグ等に格納された情報を所定の読取装置で読み取り、読み取った情報に基づいてユーザを認識してもよい。
【００５０】
ユーザ認識部３６によりユーザを認識することで、画像データの生成時に、情報処理装置２０を持っているものの、情報処理装置２０の無線出力が切れていたり、電源が切られていたりする場合に、全員に画像データがいきわたらないことを予防することができる。
【００５１】
動作制御部３２は、ユーザ認識部３６により認識されたユーザの人数を表示部１３等の出力手段を介して出力することとしてもよい。これにより、画像処理装置１０と通信する情報処理装置２０を所持又は情報処理装置２０の近くにいるユーザの人数を確認することができる。
【００５２】
また、動作制御部３２は、ユーザ認識部３６により認識されたユーザの人数とアクセス制御部３４により画像データへのアクセスが許可された情報処理装置２０の数が一致しないとき、エラー情報を表示部１３等の出力手段を介して出力することとしてもよい。
【００５３】
また、動作制御部３２は、情報処理装置２０の特定数と、顔認識でカウントした数が一致したことを表示部１３等の出力手段を介して出力してもよい。これにより、認識されたユーザのカウントと特定した情報処理装置２０のカウントが一致していることで、全員がアクセス可能であることを確認することができる。
【００５４】
照射部３７は、所定方向に存在する情報処理装置２０を検出するための指向性電波を照射する照射手段である。照射部３７は、指向性外部通信装置１６によりその機能が実現される。照射部３７の詳細については図１７を参照して後述する。
【００５５】
［本実施形態の画像処理装置の初期設定処理フロー］
次に、本実施形態における画像処理装置１０の初期設定処理フローについて図６を参照して説明する。
【００５６】
画像処理装置１０は、動作制御部３２により、表示部１３に情報処理装置２０を登録させるための初期設定画面を表示する（ステップＳ１）。初期設定画面には、上述した接続情報であるＱＲコードや設定画面が表示される。
【００５７】
次に、画像処理装置１０は、アクセス制御部３４により、初期設定画面を介した情報処理装置２０の登録処理を行う（ステップＳ２）。
【００５８】
画像処理装置１０は、アクセス制御部３４により、初期設定画面を介した情報処理装置２０の登録処理に際し、当該設定画面への入力による情報処理装置２０の認証タイミングの設定を行う（ステップＳ３）。
【００５９】
画像処理装置１０は、動作制御部３２により、画像データを情報処理装置２０に送信するか否かを判定する（ステップＳ４）。動作制御部３２により、画像データを情報処理装置２０に送信すると判定されたとき（ステップＳ４、ＹＥＳ）、情報処理装置２０に画像データを送信可能になるように設定画面の表示時に画像データ送信実行アイコン等を表示する（ステップＳ５）。他方、動作制御部３２により、画像データを情報処理装置２０に送信しないと判定されたとき（ステップＳ４、ＮＯ）、ステップＳ６の処理へ移行する。
【００６０】
画像処理装置１０は、動作制御部３２により、接続設定表示を表示部１３に表示するかを判定する（ステップＳ６）。動作制御部３２により、接続設定表示を表示すると判定されたとき（ステップＳ６、ＹＥＳ）、接続設定表示を初期設定画面に追加する（ステップＳ７）。他方、動作制御部３２により、接続設定表示を表示しないと判定されたとき（ステップＳ６、ＮＯ）、ステップＳ１へ戻り、初期設定をやり直す。
【００６１】
接続設定表示の追加表示の後、画像処理装置１０は、動作制御部３２により、情報処理装置２０からアクセスがあるか否かを判定する（ステップＳ８）。動作制御部３２により、情報処理装置２０からアクセスがあると判定されたとき（ステップＳ８、ＹＥＳ）、アクセス制御部３４は、アクセスがあった情報処理装置２０の固有ＩＤを登録する（ステップＳ９）。動作制御部３２により、情報処理装置２０からアクセスがないと判定されたとき（ステップＳ８、ＮＯ）、情報処理装置２０からのアクセスを待機する。
【００６２】
なお、アクセス制御部３４は、アクセスされた情報処理装置２０の固有ＩＤ登録に際し、固有ＩＤと紐付けている固有名称データを受信したとき、固有ＩＤと固有名称データを紐付ける処理を行ってもよい。情報処理装置２０を固有名称で管理することにより、管理者は情報処理装置２０を管理しやすくなる。
【００６３】
［本実施形態の情報処理装置の初期設定処理フロー］
次に、本実施形態における情報処理装置２０の初期設定処理フローについて図７を参照して説明する。
【００６４】
情報処理装置２０において、ユーザによる画像処理装置１０の表示部１３に表示された接続設定表示を介した入力が行われるか否かが判定される（ステップＳ１１）。この場合の入力は、上述したＱＲコードの撮影、又は接続設定画面への入力を含む。なお、接続設定画面は、無線通信を介して、情報処理装置２０が備える表示部に表示してもよい。また、ＱＲコードを撮影した場合、画像処理装置１０へのアクセス情報を情報処理装置２０は取得し、これに基づいて画像処理装置１０に接続する。ステップＳ１１において、入力がない場合（ステップＳ１１、ＮＯ）、入力があるまで待機する。
【００６５】
入力が行われたと判定されたとき（ステップＳ１１、ＹＥＳ）、画像処理装置１０との間で接続設定が行われる（ステップＳ１２）。その後、情報処理装置２０は画像処理装置１０と接続を行う（ステップＳ１３）。
【００６６】
［本実施形態における画像処理装置の動作処理フロー］
次に、本実施形態における画像処理装置の動作処理フローについて図８を参照して説明する。
【００６７】
画像処理装置１０は、動作制御部３２により、情報処理装置２０の認証タイミングが画像データ生成部３０による画像データの生成前か否かを判定する（ステップＳ２１）。動作制御部３２により、画像データの生成前であると判定されたとき（ステップＳ２１、ＹＥＳ）、アクセス制御部３４による情報処理装置２０の認証処理を行い、画像データの生成時に認証対象の情報処理装置２０が存在するかを確認する（ステップＳ２２）。
【００６８】
他方、画像処理装置１０は、動作制御部３２により、画像データの生成が行われた後（ステップＳ２３）、情報処理装置２０の認証タイミングが画像データの生成後であるか否かを判定する（ステップ２４）。動作制御部３２により、認証タイミングが画像データの生成後であると判定されたとき（ステップＳ２４、ＹＥＳ）、この時点で情報処理装置２０の認証を行う（ステップＳ２５）。
【００６９】
画像処理装置１０は、アクセス制御部３４により、画像データの生成時に認証された情報処理装置２０について、生成された画像データへのアクセス権を付与する（ステップＳ２６）。なお、アクセス制御部３４は、画像データ生成時に特定されなかった情報処理装置２０にはアクセス権を付与しない。
【００７０】
その後、動作制御部３２により、情報処理装置２０に画像データを送信するか否かを判定し（ステップＳ２７）、送信すると判定されたとき（ステップＳ２７、ＹＥＳ）、認証済の情報処理装置２０に画像データを送信する（ステップＳ２８）。動作制御部３２は、認証されない情報処理装置２０には画像データを送信しないと判定し（ステップＳ２７、ＮＯ）、この場合は画像データの送信を行うことなく、処理を終了する。
【００７１】
なお、画像処理装置１０は、情報処理装置２０を特定できたが画像データの送信が失敗した場合、表示部１３にエラー表記を行ってもよい。これにより、画像データの容量が大きく、送信に時間がかかる場合や、通信が遮断されたとき、送信に失敗したことを表示することでユーザにリトライを促すことができる。
【００７２】
［本実施形態における情報処理装置の動作処理フロー］
次に、本実施形態における情報処理装置２０の動作処理フローについて図９を参照して説明する。本フローは、画像処理装置１０により画像データが生成された以降の処理手順である。
【００７３】
情報処理装置２０の制御部４１は、通信部４２を介して認証信号を受信したか否かを判定する（ステップＳ３１）。制御部４１は、通信部４２を介して認証信号を受信したと判定したとき（ステップＳ３１、ＹＥＳ）、通信部４２を介して画像処理装置１０に認証信号の受信を通知する（ステップＳ３２）。
【００７４】
次に、情報処理装置２０の制御部４１は、通信部４２を介して画像データを受信したか否かを判定する（ステップＳ３３）。制御部４１は、通信部４２を介して画像データを受信したと判定したとき（ステップＳ３３、ＹＥＳ）、受信した画像データを２次記憶装置２７に記憶する（ステップＳ３４）。なお、情報処理装置２０が初期設定時に認証されていない場合、画像データを受信することはできない（ステップＳ３３、ＮＯ）。
【００７５】
［本実施形態における画像処理装置のアクセス処理フロー］
次に、本実施形態における画像処理装置１０のアクセス処理フローについて図１０を参照して説明する。本フローは、情報処理装置２０が画像処理装置１０にアクセスを行なう際のフローである。
【００７６】
画像処理装置１０は、動作制御部３２により、情報処理装置２０からのアクセスがあるか否かを判定する（ステップＳ４１）。動作制御部３２により、情報処理装置２０からのアクセスがあると判定されたとき（ステップＳ４１、ＹＥＳ）、アクセス制御部３４は、アクセスがあった情報処理装置２０がアクセスしようとしている画像データへのアクセス権があるか否かを判定する（ステップＳ４３）。
【００７７】
動作制御部３２は、アクセス制御部３４によりアクセス権があると判定された（ステップＳ４３、ＹＥＳ）画像データを情報処理装置２０に参照させる（ステップＳ４４）。
【００７８】
その後、動作制御部３２は、情報処理装置２０との接続が解除されたか否かを判定し（ステップＳ４５）、解除されたと判定した場合（ステップＳ４５、ＹＥＳ）、処理を終了する。他方、解除されていないと判定した場合（ステップＳ４５、ＮＯ）、ステップＳ４４の処理を継続する。
【００７９】
［本実施形態における情報処理装置のアクセス処理フロー］
次に、本実施形態における情報処理装置２０のアクセス処理フローについて図１１を参照して説明する。本フローは、情報処理装置２０が画像データにアクセスを行おうする際のフローである。
【００８０】
情報処理装置２０の制御部４１は、通信部４２を介して画像データを受信しているか否かを判定する（ステップＳ５１）。制御部４１は、通信部４２を介して画像データを受信していると判定したとき（ステップＳ５１、ＹＥＳ）、画像データの参照を行う（ステップＳ５５）。
【００８１】
他方、情報処理装置２０の制御部４１は、通信部４２を介して画像データを受信していないと判定したとき（ステップＳ５１、ＮＯ）、画像処理装置１０にアクセスし、画像処理装置１０において表示される画像データを参照する（ステップＳ５２）。
【００８２】
その後、情報処理装置２０の制御部４１は、画像処理装置１０との接続が解除されたか否かを判定し（ステップＳ５３）、解除されたと判定したとき（ステップＳ５３、ＹＥＳ）、接続解除を表示部１３に表示する（ステップＳ５４）。制御部４１は、画像処理装置１０との接続が解除されないと判定したとき（ステップＳ５３、ＮＯ）、ステップＳ５１からの処理を繰り返す。
【００８３】
［画像処理装置が情報処理装置を登録する動作処理］
次に、本実施形態における画像処理装置１０が情報処理装置２０を登録する動作処理について図１２を参照して説明する。
【００８４】
画像処理装置１０は、動作制御部３２により、登録動作設定を行い（ｇ１）、表示部１３に接続情報として登録用のＱＲコード、あるいは、初期設定画面を表示する（ｇ２）。情報処理装置２０では、制御部４１により、ユーザによる操作を介して、ＱＲコードの撮影、あるいは、設定画面への手動設定が受付けられる（ｃ１、［０］）。
【００８５】
情報処理装置２０の制御部４１は、画像処理装置１０の表示部１３に表示された内容に従い設定を行う（ｃ２）。
【００８６】
その後、情報処理装置２０の制御部４１は、通信部４２に対して通信要求を行い［１−１］、通信部４２から画像処理装置１０の通信制御部３１に対して通信が要求される［１−２］。
【００８７】
画像処理装置１０の通信制御部３１は、動作制御部３２に対して通信発生を通知する［１−３］。動作制御部３２は、特定制御部３３に対してアクセスしてきた情報処理装置２０の固有ＩＤの格納要求を送る［１−４］。特定制御部３３は、その固有ＩＤを２次記憶装置１７に格納（記憶）する（ｇ３）。
【００８８】
画像処理装置１０の特定制御部３３は、動作制御部３２に固有ＩＤの格納完了を通知し［１−５］、動作制御部３２は通信制御部３１に応答を通知する［１−６］。通信制御部３１は、情報処理装置２０の通信部４２に対して応答を通知し［１−７］、通信部４２は制御部４１に応答を通知する［１−８］。
【００８９】
情報処理装置２０の制御部４１は、通信部４２に固有名称の通信を要求する［１−９］。通信部４２は、画像処理装置１０の通信制御部３１に通信を行い［１−１０］、通信制御部３１は、動作制御部３２に対して通信発生を通知する［１−１１］。動作制御部３２は、特定制御部３３に対して固有名称の格納を要求する［１−１２］。特定制御部３３は、情報処理装置２０の固有ＩＤと固有名称とを紐付ける（ｇ４）。
【００９０】
画像処理装置１０の特定制御部３３は、動作制御部３２に対して情報処理装置２０の登録完了を通知する［１−１３］。動作制御部３２は、これを受けて情報処理装置２０の登録を完了する（ｇ５）。以降、は、特定制御部３３、通信制御部３１、情報処理装置２０の通信部４２、制御部４１へと情報処理装置２０の登録に係る応答が順次通知される［１−１４］［１−１５］［１−１６］。
【００９１】
［情報処理装置の画像データへのアクセス権を付与する動作処理］
次に、本実施形態における画像処理装置１０が情報処理装置２０を特定し、生成される画像データのアクセス権を付与する動作処理について図１３を参照して説明する。
【００９２】
まず、画像処理装置１０の動作制御部３２は、情報処理装置２０の認証動作を行う（ｇ６）。これに伴い、動作制御部３２は、情報処理装置２０が存在するか否かの確認通信を通信制御部３１に行う［２−１］。通信制御部３１は、これを受けて認証対象である情報処理装置２０の通信部４２へ通信を行う［２−２］。情報処理装置２０の通信部４２は、制御部４１に通信発生を通知する［２−３］。
【００９３】
情報処理装置２０の制御部４１は、通信部４２に通信を要求し［２−４］、通信部４２は、画像処理装置１０の通信制御部３１に応答を通知する［２−５］。
【００９４】
画像処理装置１０の通信制御部３１は、動作制御部３２に通信発生を通知し［２−６］、動作制御部３２は特定制御部３３に対し、アクセスに係る情報処理装置２０の照会要求を行い［２−７］、特定制御部３３は、固有ＩＤを確認する（ｇ７）。照会結果がＯＫか否かはアクセスに係る情報処理装置２０の固有ＩＤと格納された固有ＩＤの一致により判定される。
【００９５】
動作制御部３２は、固有ＩＤの一致により、アクセスに係る情報処理装置２０の照会結果がＯＫであることを特定制御部３３から通知されると［２−８］、応答を返してきた情報処理装置２０が認証対象であると判定する（ｇ８）。そして、動作制御部３２から通信制御部３１、情報処理装置２０の通信部４２、制御部４１を順に応答が通知される［２−９］［２−１０］［２−１１］。
【００９６】
画像処理装置１０の動作制御部３２は、画像データを生成しようとしているか、既に画像データが生成済である場合（ｇ９）、特定制御部３３により特定された情報処理装置２０に、その時点で画像処理装置１０が生成しようとしている画像データ、あるいはその時点で生成済の画像データのアクセス権を付与するようアクセス制御部３４に要求する［２−１２］。
【００９７】
アクセス制御部３４は、対象の画像データに、認証された情報処理装置２０のアクセス権を付与する（ｇ１０）。アクセス制御部３４は、動作制御部３２にアクセス権付与結果を通知する［２−１３］。
【００９８】
なお、特定制御部３３により、情報処理装置２０が１台も特定されなかった場合は、生成しようとしている画像データ、あるいは生成済みになった画像データにはアクセス権はなく誰でもアクセスが可能になる。
【００９９】
［情報処理装置への画像データのアップロード処理手順］
次に、本実施形態における情報処理装置２０への画像データのアップロード処理手順について図１４を参照して説明する。ここでは、画像処理装置１０は接続対象の情報処理装置２０を認証済である（ｇ１１）として説明する。
【０１００】
画像処理装置１０の動作制御部３２は、認証済の情報処理装置２０にアクセス権がある画像データを送信してもよいかの確認通知を通信制御部３１に行う［３−１］。通信制御部３１は、情報処理装置２０の通信部４２との間で通信を行い［３−２］、通信部４２は制御部４１に通信発生を通知する［３−３］。
【０１０１】
情報処理装置２０の制御部４１は、確認通信を受信したことの通知処理を行う（ｃ４）。制御部４１は、通信部４２に通信を要求し［３−４］、通信部４２は画像処理装置１０の通信制御部３１に応答を通知する［３−５］。
【０１０２】
画像処理装置１０の通信制御部３１は、動作制御部３２に対して通信発生を通知し［３−６］、動作制御部３２から特定制御部３３に照会要求がなされる［３−７］。特定制御部３３は、情報処理装置２０の固有ＩＤを確認し（ｇ１２）、照会結果を動作制御部３２に通知する［３−８］。
【０１０３】
これにより、動作制御部３２は、応答を返した情報処理装置２０が存在すると判定し（ｇ１３）、その旨の応答が、通信制御部３１、通信部４２を介して、制御部４１に通知される［３−９］［３−１−］［３−１１］。
【０１０４】
他方、動作制御部３２は、アクセス制御部３４に対して、対象の情報処理装置２０がアクセス可能な対象画像を問い合わせる［３−１２］。アクセス制御部３４は、アクセス可能な画像データを動作制御部３２に送る［３−１３］。
【０１０５】
これを受けて、動作制御部３２は、情報処理装置２０に画像データのアップロード通知を行う（ｇ１４）。すなわち、動作制御部３２は、通信制御部３１に対してアップロードを通知し［３−１４］、通信制御部３１から情報処理装置２０の通信部４２に対して通信が行われる［３−１５］。そして、通信部４２から制御部４１に対してアップロード通知がなされる［３−１６］。
【０１０６】
情報処理装置２０の制御部４１は、画像データのダウンロード承認を実行する（ｃ５）。そして、制御部４１は、通信部４２に画像データのダウンロードを要求する［３−１７］。そして、通信部４２から画像処理装置１０の通信制御部３１に対して応答が通知され［３−１８］、通信制御部３１は動作制御部３２に画像データのダウンロードを要求する［３−１９］。
【０１０７】
動作制御部３２は、要求のあった画像データを要求元の情報処理装置２０の通信部４２にアップロードし［３−２０］、通信部４２から通知［３−２１］を受けた制御部４１はダウンロードした画像を記憶する（ｃ６）。本処理によれば、情報処理装置２０は画像データを内部に格納して参照することができる。また、例えばデジタルカメラ等で撮影が行われた場合、即時に情報処理装置２０が画像データを受信することができる。
【０１０８】
［情報処理装置の画像データへの参照処理手順］
次に、本実施形態における情報処理装置２０が画像処理装置１０内に格納された画像データを参照する際に、参照する情報処理装置２０がアクセス権を持つ画像データのみを参照させる処理について図１５を参照して説明する。ここでも、画像処理装置１０は対象の情報処理装置２０を認証済であるとして説明する。
【０１０９】
情報処理装置２０の制御部４１は、画像データの取得要求を行う（ｃ７）。そのため、まず制御部４１は、通信部４２に取得要求を通知し［４−１］、通信部４２は画像処理装置１０の通信制御部３１に取得要求を通知する［４−２］。
【０１１０】
通信制御部３１は、動作制御部３２に取得要求を通知し［４−３］、動作制御部３２は特定制御部３３に管理対象の情報処理装置２０であるかの照会要求を行う［４−４］。特定制御部３３は、管理対象の情報処理装置２０か否かを、照会要求に係る情報処理装置２０の固有ＩＤが格納された固有ＩＤと一致するか否かにより確認する（ｇ１６）。
【０１１１】
特定制御部３３は、照会結果を動作制御部３２に通知する［４−５］。動作制御部３２は、照会結果を受けて、管理対象の情報処理装置２０であることを判定する（ｇ１７）。
【０１１２】
動作制御部３２は、対象の情報処理装置２０がアクセス可能な画像データをアクセス制御部３４に問い合わせる［４−６］。アクセス制御部３４は、アクセス可能な画像データの一覧を動作制御部３２に通知する［４−７］。
【０１１３】
動作制御部３２は、対象の情報処理装置２０に画像一覧のアップロード通知を行う（ｇ１８）。そのため、動作制御部３２は、通信制御部３１にアップロードを通知し［４−８］、通信制御部３１は情報処理装置２０の通信部４２に通知する［４−９］。
【０１１４】
情報処理装置２０の通信部４２は、アップロード通知を制御部４１に通知し［４−１０］、制御部４１は、画像データのダウンロード承認を行う（ｃ８）。そのため、制御部４１は、通信部４２に画像データのダウンロードを要求する［４−１１］。
【０１１５】
通信部４２は、画像処理装置１０の通信制御部３１にダウンロード要求を通知し［４−１２］、通信制御部３１は動作制御部３２にダウンロードを要求する［４−１３］。動作制御部３２は、要求された画像データを情報処理装置２０にアップロードする（ｇ１９）。動作制御部３２は、通信制御部３１、情報処理装置２０の通信部４２を介して制御部４１に画像データをアップロードする［４−１４］。制御部４１は、ダウンロードした画像データを２次記憶装置２７に記憶する（ｃ９）。これにより、情報処理装置２０は、画像データを内部に格納して参照することができる。
【０１１６】
［画像処理装置と情報処理装置との外部通信装置を利用した処理］
次に、本実施形態における複数の情報処理装置２０と、画像処理装置１０とが互いに外部通信装置を利用して相互にやり取りを行う処理について図１６を参照して説明する。本実施形態の画像処理装置１０及び情報処理装置２０は、外部通信装置として、例えばＢＬＵＥＴＯＯＴＨ（登録商標）、無線ＬＡＮ、赤外線通信、音波、光等を利用した無線通信形式を採用することができる。
【０１１７】
本実施形態では、画像処理装置１０が親機となり、情報処理装置２０が子機となる。子機の情報処理装置２０が親機の画像処理装置１０に登録されることにより、複数の情報処理装置２０からの要求において、各装置を認証することで子機側のアクセス権を識別する。
【０１１８】
まず、ここでは２台の情報処理装置Ｘ、Ｙが画像処理装置１０にアクセスする場合の例を用いて説明する。情報処理装置Ｘの外部通信装置４３ｘと情報処理装置Ｙの外部通信装置４３ｙはアクセス設定を行い、固有名称を画像処理装置１０の外部通信装置１４に送信する（ｃ１０ｘ）（ｃ１０ｙ）。各情報処理装置は、それぞれの固有名称の画像処理装置１０への登録を要求する［５−１］［６−１］。
【０１１９】
外部通信装置１４は、各情報処理装置を登録し（ｇ２０）、各情報処理装置に登録ＯＫである応答を通知する［５−２］［６−２］。
【０１２０】
外部通信装置１４は、画像データ生成部３０が画像を生成しようとしているか、あるいは画像が生成済みであるかを確認し（ｇ２１）、その時点で認証された情報処理装置が存在するか確認する［５−３］［６−３］。
【０１２１】
本実施形態では、外部通信装置１４は、情報処理装置Ｘが認証された情報処理装置であるとしてその存在を確認し［５−４］、情報処理装置Ｙについては、画像生成時には通信応答を返すことができず、その存在を確認できなかったものとする。よって、画像処理装置１０の外部通信装置１４は、情報処理装置Ｘについて、画像データにアクセス権を付与する（ｇ２２）。
【０１２２】
そして、外部通信装置１４は、画像データのアップロード通知を情報処理装置Ｘの外部通信装置４３ｘを介して行う［５−５］。外部通信装置４３ｘは画像データのダウンロード承認を行う（ｃ１１）。そのため、外部通信装置４３ｘは外部通信装置１４に対して承認通知を送信する［５−６］。
【０１２３】
画像処理装置１０は、画像データのアップロード設定を行い（ｇ２３）、外部通信装置４３ｘに外部通信装置１４を介して画像データをアップロードする［５−７］。情報処理装置Ｘはダウンロードした画像データを２次記憶装置２７に格納する（ｃ１２）。
【０１２４】
［図１６に示した外部通信装置による情報処理装置の特定処理］
図１６に示した外部通信装置による情報処理装置の特定処理について図１７を参照して説明する。ここでは、画像処理装置１０の外部通信装置がどのようにして情報処理装置の特定処理を行うのかについて説明する。
【０１２５】
ところで、外部通信装置１４から送出される電波は、電波特性上、放射状に展開されるため指向性がない。無線通信形式においては、パラボラアンテナ等の利用により無線電波に指向性を伴わせることにより、一定方向に情報処理装置が存在するかを検知することができる。これにより、向けられた方向に対象の情報処理装置が存在することを検知することができる。その際、指向性側の通信には、通常の無線通信とは異なる応答を行うように要求することで、指向性のある電波を送出する外部通信装置側で検知された機器なのか特定処理を行うことができる。
【０１２６】
本実施形態では、指向性外部通信装置１６として図のようなパラボラアンテナ型の送信部を備えた画像処理装置１０を使用する。例えば、ＢＬＵＥＴＯＯＴＨ（登録商標）等の無線電波の出力幅を狭めるアンテナを利用すればよい。なお、指向性の電波を送出できる装置であれば、パラボラアンテナ型に限定しなくてもよい。
【０１２７】
本図では、指向性外部通信装置１６から指向性の電波が送出される側にある情報処理装置２０ａ及び２０ｂは指向性外部通信装置１６と通信ができる。他方、情報処理装置２０ｃは指向性外部通信装置１６から指向性の電波が送出される側にないため、指向性外部通信装置１６と通信ができない。
【０１２８】
なお、上述する各実施の形態は、本発明の好適な実施の形態であり、本発明の要旨を逸脱しない範囲内において種々変更実施が可能である。例えば、上述した本実施形態の画像処理システム、画像処理装置、及び情報処理装置における各処理を、ハードウェア、又は、ソフトウェア、あるいは、両者の複合構成を用いて実行することも可能である。
【０１２９】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【符号の説明】
【０１３０】
１０    画像処理装置
１１、２１    ＣＰＵ
１２、２２    画像入出力部
１３、２３    表示部
１４、２４    外部通信装置
１５、２５    １次記憶装置
１６    指向性外部通信装置
１７、２７    ２次記憶装置
２０    情報処理装置
３０    画像データ生成部
３１    通信制御部
３２    動作制御部
３３    特定制御部
３４    アクセス制御部
３６    ユーザ認識部
３７    照射部
４１    制御部
４２    通信部
【先行技術文献】
【特許文献】
【０１３１】
【特許文献１】特許第４４５５０７６号公報
【図１】
0006593022.tif 000002
【図２】
0006593022.tif 000003
【図３】
0006593022.tif 000004
【図４】
0006593022.tif 000005
【図５】
0006593022.tif 000006
【図６】
0006593022.tif 000007
【図７】
0006593022.tif 000008
【図８】
0006593022.tif 000009
【図９】
0006593022.tif 000010
【図１０】
0006593022.tif 000011
【図１１】
0006593022.tif 000012
【図１２】
0006593022.tif 000013
【図１３】
0006593022.tif 000014
【図１４】
0006593022.tif 000015
【図１５】
0006593022.tif 000016
【図１６】
0006593022.tif 000017
【図１７】
0006593022.tif 000018
【図１８】
0006593022.tif 000019